(57)【要約】【課題】円盤電極の交換作業を容易に行うことができる高周波温熱治療装置及び電極交換用補助具を提供する。【解決手段】高周波温熱治療装置１は、対向配置される一対の電極軸３４，３５と、一対の電極軸３４，３５に着脱可能に装着されて患部１０１を挟んで対向する一対の円盤電極３７，４７とを備え、一対の円盤電極３７，４７間に高周波電力を印加し、誘電加熱によって患部１０１を温熱治療するものであって、円盤電極３７等を含む電極アタッチメント３６等を電極軸３４等から取り外した状態で支持する支持部としての載置板７１と、載置板７１を移動させる移動機構としてのアーム機構７２と、を備えている。【選択図】図４
2018130460.tif 000002
【特許請求の範囲】
【請求項１】
対向配置される一対の電極軸（３４，３５）と、前記一対の電極軸に着脱可能に装着されて患部（１０１）を挟んで対向する一対の円盤電極（３７，４７）とを備え、前記一対の円盤電極間に高周波電力を印加し、誘電加熱によって患部を温熱治療する高周波温熱治療装置（１）において、
前記円盤電極を前記電極軸から取り外した状態で支持する支持部（７１）と、
前記支持部を移動させる移動機構（７２）と、
を備えた高周波温熱治療装置。
【請求項２】
前記移動機構は、前記支持部を高さ方向及び水平方向の少なくとも一方に移動可能なアーム機構である請求項１に記載の高周波温熱治療装置。
【請求項３】
前記患者を乗せる寝台（１０）と、
前記寝台を出し入れ可能な開口部（３１ａ）を有し且つ前記電極軸が設けられるガントリ（３０）と、
を備え、
前記アーム機構は、前記ガントリに固定されている請求項２に記載の高周波温熱治療装置。
【請求項４】
前記移動機構を駆動する駆動部を備えた請求項１乃至３のいずれか一項に記載の高周波温熱治療装置。
【請求項５】
対向配置される一対の電極軸（３４，３５）と、前記一対の電極軸に着脱可能に装着されて患部（１０１）を挟んで対向する一対の円盤電極（３７，４７）とを備え、前記一対の円盤電極間に高周波電力を印加し、誘電加熱によって患部を温熱治療する高周波温熱治療装置において前記円盤電極の交換時に用いられる電極交換用補助具（７０，１７０）であって、
前記円盤電極を前記電極軸から取り外した状態で支持する支持部（７１，１７１）と、
前記支持部を移動させる移動機構（７２，１７２）と、
を備えた電極交換用補助具。
【請求項６】
前記移動機構は、前記支持部を高さ方向及び水平方向の少なくとも一方に移動可能なアーム機構（７２，１７２）である請求項５に記載の電極交換用補助具。
【請求項７】
交換用の前記円盤電極を格納する格納部（１８２）を備えた請求項５又は６に記載の電極交換用補助具。
【請求項８】
前記移動機構を駆動する駆動部を備えた請求項５乃至７のいずれか一項に記載の電極交換用補助具。
【発明の詳細な説明】
【技術分野】
【０００１】
本発明は、円盤電極間に高周波電力を印加し、誘電加熱によって患部を温熱治療する高周波温熱治療装置及び電極交換用補助具に関する。
【背景技術】
【０００２】
従来、一対の円盤電極間に患部を挟み、円盤電極間に周波数１ＭＨｚ〜１００ＭＨｚの高周波電力を供給してがん患部に高周波電磁界を照射し、誘電加熱により患部を加温することで、がん治療を行う高周波温熱治療装置が知られている（例えば、特許文献１参照。）。
【０００３】
かかる従来の高周波温熱治療装置では、治療する患部の深さや治療部位等によって電極サイズの異なるものを使用できるようにするため、円盤電極は電極軸に対して取り外し可能とされ、予め用意されたサイズの異なる複数種類の円盤電極を適宜交換して使用するようになっている。
【先行技術文献】
【特許文献】
【０００４】
【特許文献１】特許第５９４７４６９号公報
【発明の概要】
【発明が解決しようとする課題】
【０００５】
しかしながら、円盤電極は特にサイズの大きいものは重量も大きくなるため、操作者が円盤電極を高周波温熱治療装置の取り付け位置まで持ち上げて交換作業を行うことは大きな負担となっており、操作者が容易に円盤電極の交換作業を行なえるようにすることが求められているという課題があった。
【０００６】
本発明は、上述した課題に鑑みてなされたものであり、円盤電極の交換作業を容易に行うことができる高周波温熱治療装置及び電極交換用補助具を提供することを目的とする。
【課題を解決するための手段】
【０００７】
上記目的を達成するためになされた請求項１に記載の発明は、対向配置される一対の電極軸（３４，３５）と、前記一対の電極軸に着脱可能に装着されて患部（１０１）を挟んで対向する一対の円盤電極（３７，４７）とを備え、前記一対の円盤電極間に高周波電力を印加し、誘電加熱によって患部を温熱治療する高周波温熱治療装置（１）において、前記円盤電極を前記電極軸から取り外した状態で支持する支持部（７１）と、前記支持部を移動させる移動機構（７２）と、を備えている。
【０００８】
この構成によれば、電極軸から取り外した状態の円盤電極を支持部に支持させて、その支持部を移動機構によって移動させることで、円盤電極を電極軸へ取り付けるために保管位置から電極軸近傍へ移動させたり、電極軸から取り外した円盤電極を保管位置へ移動させたりすることができる。よって、円盤電極の交換作業を容易に行うことができる高周波温熱治療装置を提供することができるという効果を奏する。
【０００９】
請求項２に記載の発明は、前記移動機構は、前記支持部を高さ方向及び水平方向の少なくとも一方に移動可能なアーム機構である。
【００１０】
この構成によれば、アーム機構により支持部を高さ方向及び水平方向に移動させて、円盤電極の交換作業を容易に行うことができるという効果を奏する。
【００１１】
請求項３に記載の発明は、前記患者を乗せる寝台（１０）と、前記寝台を出し入れ可能な開口部（３１ａ）を有し且つ前記電極軸が設けられるガントリ（３０）と、を備え、前記アーム機構は、前記ガントリに固定されている。
【００１２】
この構成によれば、アーム機構がガントリに固定されているので、必要な時にいつでも円盤電極の交換を行うことができるという効果を奏する。
【００１３】
請求項４に記載の発明は、前記移動機構を駆動する駆動部（７５）を備えている。
【００１４】
この構成によれば、駆動部が移動機構を駆動するので、操作者は移動機構を手で動かすことなく支持部を移動させて円盤電極の交換を行うことができるという効果を奏する。
【００１５】
請求項５に記載の発明は、対向配置される一対の電極軸（３４，３５）と、前記一対の電極軸に着脱可能に装着されて患部（１０１）を挟んで対向する一対の円盤電極（３７，４７）とを備え、前記一対の円盤電極間に高周波電力を印加し、誘電加熱によって患部を温熱治療する高周波温熱治療装置において前記円盤電極の交換時に用いられる電極交換用補助具（７０，１７０）であって、前記円盤電極を前記電極軸から取り外した状態で支持する支持部（７１，１７１）と、前記支持部を移動させる移動機構（７２，１７２）と、を備えている。
【００１６】
この構成によれば、電極軸から取り外した状態の円盤電極を支持部に支持させて、その支持部を移動機構によって移動させることで、円盤電極を電極軸へ取り付けるために保管位置から電極軸近傍へ移動させたり、電極軸から取り外した円盤電極を保管位置へ移動させたりすることができる。よって、円盤電極の交換作業を容易に行うことができる電極交換用補助具を提供することができるという効果を奏する。
【００１７】
請求項６に記載の発明は、前記移動機構は、前記支持部を高さ方向及び水平方向の少なくとも一方に移動可能なアーム機構（７２，１７２）である。
【００１８】
この構成によれば、アーム機構により支持部を高さ方向及び水平方向に移動させて、円盤電極の交換作業を容易に行うことができるという効果を奏する。
【００１９】
請求項７に記載の発明は、交換用の前記円盤電極を格納する格納部（１８２）を備えている。
【００２０】
この構成によれば、格納部（１８２）に格納した交換用の円盤電極を、支持部に支持させて移動機構によって移動させることにより、円盤電極の交換作業を容易に行うことができるという効果を奏する。
【００２１】
請求項８に記載の発明は、前記移動機構を駆動する駆動部（７５）を備えている。
【００２２】
この構成によれば、駆動部が移動機構を駆動するので、操作者は移動機構を手で動かすことなく支持部を移動させて円盤電極の交換を行うことができるという効果を奏する。
【図面の簡単な説明】
【００２３】
【図１】本実施形態の高周波温熱治療装置の概略構成を示す外観図である。
【図２】患者を治療中の高周波温熱治療装置を図１のII線矢視にて示す図である。
【図３】高周波温熱治療装置の電気的回路構成を示すブロック図である。
【図４】電極アタッチメントを交換する際の電極交換用補助具の状態を示す図１相当図である。
【図５】第１変形例における高周波温熱治療装置及び電極交換補助具を示す図である。
【図６】第２変形例における高周波温熱治療装置の電気的回路構成を示すブロック図である。
【発明を実施するための形態】
【００２４】
以下、本発明を具体化した高周波温熱治療装置の一実施形態について説明する。
【００２５】
まず、高周波温熱治療装置１の構成について、図１乃至図４を参照しつつ説明する。図１は、高周波温熱治療装置１の概略構成を示す外観図、図２は、患者を治療中の高周波温熱治療装置１を図１のII線矢視にて示す図、図３は、高周波温熱治療装置１の電気的回路構成を示すブロック図、図４は、電極アタッチメント３６を交換する際の電極交換用補助具７０の状態を示す図１相当図である。
【００２６】
高周波温熱治療装置１は、図１等に示すように、寝台１０と、ガントリ３０と、高周波発生装置５０と、コンソール６０と、電極交換用補助具７０とを備えて構成される。
【００２７】
寝台１０は、治療対象の患者１００が横臥する寝台部であって、水平にスライド移動可能に構成され、ガントリ３０の開口部３１ａ内を出し入れするようになっている。また、寝台１０は、コンソール６０からの指令入力によって上下動作させることにより、高さを調整可能となっている。
【００２８】
ガントリ３０は、患者１００の患部１０１に高周波電力を照射する装置であって、本体３１中央に寝台１０を出し入れ可能な円形の開口３１ａが設けられている。ガントリ３０は、開口３１ａを挟む上下に一対の電極軸としての上部電極軸３４，下部電極軸３５を備えると共に、これらに着脱自在に装着される一対の電極アタッチメント３６，４６を備えている。
【００２９】
すなわち、開口３１ａ内側面の最上部において、絶縁材からなる電極支持部３３を貫通して金属製の上部電極軸３４が下向きに突設されている。また、開口３１ａ内側面の最下部において、金属製の下部電極軸３５が上部電極軸３４と対向するように上向きに突設されている。上部電極軸３４及び下部電極軸３５は、ともに中空円筒状に形成され、中空内部には冷却パッド３８又は冷却パッド４８内に冷却水を循環させるための図示しない冷却水供給管と冷却水排出管とが挿通されている。また、ガントリ３０は、開口３１ａを囲む外周側で周方向移動可能な回転部（図示せず）を内蔵しており、上部電極軸３４を支持する電極支持部３３は、その回転部において径方向に伸縮可能に設けられている。
【００３０】
上部電極アタッチメント３６は、上部電極軸３４に着脱可能に装着される電極アタッチメントであって、円盤電極３７と、冷却パッド３８とを備えている。
【００３１】
円盤電極３７は、円盤状を呈する電極板であって、下面は冷却パッド３８で覆われている。円盤電極３７は、中心に係合穴３７ａが形成されており、この係合穴３７ａに上部電極軸３４が挿入され且つ係合することによって、上部電極アタッチメント３６が上部電極軸３４に装着される。
【００３２】
冷却パッド３８は、ウレタンフィルム等の柔軟性のある樹脂材料等からなるドーム状部材であって、内部を冷却水が循環するようになっている。
【００３３】
下部電極アタッチメント４６は、下部電極軸３５に着脱可能に装着される電極アタッチメントであって、円盤電極４７と、冷却パッド４８とを備えている。円盤電極４７は、円盤状を呈する電極板であって、上面は冷却パッド４８で覆われている。円盤電極４７及び冷却パッド４８は、それぞれ円盤電極３７、冷却パッド３８と同様の物であるので、詳細説明を省略する。尚、以下の説明において、円盤電極３７，４７を単に電極３７，４７とも称し、上部電極アタッチメント３６，下部電極アタッチメント４６を単に電極アタッチメント３６等とも称する。
【００３４】
尚、上部電極アタッチメント３６及び下部電極アタッチメント４６は、円盤電極３７、４７の直径（電極径φ）の異なる複数種類が用意されており、治療部位等に適したサイズの物を選択して使用される。
【００３５】
高周波発生装置５０は、一対の円盤電極３７，４７に印加される数ＭＨｚ（例えば、８ＭＨｚ）の高周波を発生する装置である。高周波発生装置５０は、図３のブロック図に示すように、電源回路５１と、高周波発生回路５２と、整合回路５３と、高周波電力計５４と、制御回路５５とを備えて構成される。
【００３６】
電源回路５１は、高周波発生回路５２に電源を供給する電気回路である。電源回路５１は、商用電源を変圧及び整流して所定電圧の直流電源を生成し、生成された直流電源を高周波発生回路５２に供給する。
【００３７】
高周波発生回路５２は、自励発振方式により数ＭＨｚ（例えば、８ＭＨｚ）の高周波を発生する電気回路であって、数１０Ｗ〜数１００Ｗから１５００Ｗの範囲で出力が変更可能になっている。高周波発生回路５２の出力は、制御回路５５からの出力制御信号によって制御される。
【００３８】
整合回路５３は、高周波発生回路５２と円盤電極３７，４７間に配置される負荷である患者１００とのインピーダンス整合を行う電気回路であって、制御回路５５から調整可能となっている。
【００３９】
高周波電力計５４は、円盤電極３７，４７間の患者１００に供給される高周波電力を計測する装置である。高周波電力計５４は、円盤電極３７，４７への入射電力Ｐｉと円盤電極３７，４７からの反射電力Ｐｒを検出し、入射電力Ｐｉと反射電力Ｐｒとの差を算出することにより、負荷である患者１００側に供給された供給電力Ｐｓを求める。供給電力Ｐｓの値は、制御回路５５を介してコンソール６０へ送られて画面表示される。
【００４０】
制御回路５５は、中央演算装置（ＣＰＵ）やＲＯＭ、ＲＡＭ、ハードディスク等の記憶部を有するコンピュータを備えた装置であって、コンソール６０からの入力に応じて電源回路５１、高周波発生回路５２、整合回路５３を制御する。
【００４１】
すなわち、制御回路５５は、コンソール６０からの起動指令によって電源回路５１を起動する。また、制御回路５５は、最大出力を超えないように高周波発生回路５２の出力制御を行う。
【００４２】
また、制御回路５５は、整合回路５３の調整を行う処理や、高周波電力計５４から受け取った供給電力Ｐｓの値をコンソール６０へ送る処理を行う。更に、制御回路５５は、冷却パッド３８，４８へ冷却水を循環させるための図示しないポンプを動作制御する処理を行う。
【００４３】
コンソール６０は、ガントリ本体３１側面に取り付けられて医師等の操作者による入力操作や各種表示を行うための入出力装置であって、例えば、タッチパネル装置によって構成される。すなわち、コンソール６０を介して操作者より入力された情報は制御回路５５へ送られ、制御回路５５から送られる各種の出力が画面表示される。
【００４４】
電極交換用補助具７０は、載置板７１と、アーム機構７２とを備えて構成される。
【００４５】
載置板７１は、電極軸３４等から取り外した状態の電極アタッチメント３６等を載置する板状部材であって、各種の電極アタッチメント３６等のうち最大サイズの物よりも一回り大きな平面サイズを有している。載置板７１は、各種の電極アタッチアタッチメント３６等を載置することにより支持する支持部を構成するものである。
【００４６】
アーム機構７２は、載置板７１を移動させる移動機構であって、載置板７１を高さ方向及び水平方向に移動可能なアーム機構である。アーム機構７２は、図１，２，４に示すように、取付け部７２ａと、第１関節部７２ｂと、第１アーム７２ｃと、第２関節部７２ｄと、第２アーム７２ｅと、第３関節部７２ｆとを備えて構成される。
【００４７】
取付け部７１ａは、アーム機構７２をガントリ３０の本体３１に固定するための取付け片である。
【００４８】
第１関節部７２ｂは、球体状の関節部材であって、取付け部７１ａと第１アーム７２ｃの基端部とを上下方向及び水平方向に回動可能に連結している。
【００４９】
第１アーム７２ｃは、基端部が第１関節部７２ｂに回動可能に連結され、先端部が第２関節部７２ｄに回動可能に連結されている。
【００５０】
第２関節部７２ｄは、球体状の関節部材であって、第１アーム７２ｃの先端部と第２アーム７２ｅの基端部とを上下方向及び水平方向に回動可能に連結している。
【００５１】
第２アーム７２ｅは、基端部が第２関節部７２ｄに回動可能に連結され、先端部が第３関節部７２ｆに回動可能に連結されている。
【００５２】
第３関節部７２ｆは、第２アーム７２ｅの先端部と載置板７１とを上下方向に回動可能に連結すると共に、載置板７１を常に水平状態に維持する水平維持機構を有している。
【００５３】
尚、第１アーム７２ｃ及び第２アーム７２ｅは、ばね機構を内蔵しており（図示せず）、操作者が小さな力を加えるだけで上下に移動させることができるように構成されている。
【００５４】
次に、電極アタッチメント３６等を交換する際の電極交換用補助具７０における各部の作用について、図１，２，４を参照しつつ説明する。図４は、電極アタッチメント３６等を交換する際の電極交換用補助具７０の状態を示す図１相当図である。
【００５５】
最初に、高周波温熱治療装置１から電極アタッチメント３６を取り外す作業について説明する。作業に先立って、図１，２，４に示すように、交換用の電極アタッチメント３６を上面に載置したキャスタ付きのワゴン８０を、高周波温熱治療装置１の近傍に移動させておく。
【００５６】
まず、操作者は、アーム機構７２を手でガントリ３０へ近づく方向へ動かして載置板７１を電極軸３４の近傍位置まで移動させる。次に、操作者は、電極アタッチメント３６を電極軸３４から取り外し、その取り外した電極アタッチメント３６を載置板７１上に載置する。そして、操作者は、この状態でアーム機構７２を手でガントリ３０から離れる方向へ動かして載置板７１をワゴン８０の近傍位置まで移動させ、取り外した電極アタッチメント３６をワゴン８０上に載置する。
【００５７】
次に、高周波温熱治療装置１へ電極アタッチメント３６を取り付ける作業について説明する。操作者は、ワゴン８０上に載置された交換用の電極アタッチメント３６を手に取って載置板７１上に載置し、この状態でアーム機構７２を手でガントリ３０へ近づく方向へ動かして載置板７１を電極軸３４の近傍位置まで移動させる。次に、操作者は、載置板７１上の電極アタッチメント３６を手に取って電極軸３４に取り付ける。最後に、アーム機構７２を温熱治療の邪魔にならない位置へ移動させて交換作業を終了する。
【００５８】
以上詳述したことから明らかなように、本実施形態の高周波温熱治療装置１は、対向配置される一対の電極軸３４，３５と、一対の電極軸３４，３５に着脱可能に装着されて患部１０１を挟んで対向する一対の円盤電極３７，４７とを備え、一対の円盤電極３７，４７間に高周波電力を印加し、誘電加熱によって患部１０１を温熱治療するものであって、円盤電極３７等を含む電極アタッチメント３６等を電極軸３４等から取り外した状態で支持する支持部としての載置板７１と、載置板７１を移動させる移動機構としてのアーム機構７２と、を備えている。
【００５９】
この構成によれば、電極軸３４等から取り外した状態の円盤電極３７等を含む電極アタッチメント３６等を載置板７１に支持させて、その載置板７１をアーム機構７２によって移動させることで、電極アタッチメント３６等（円盤電極３７等）を電極軸３４等へ取り付けるためにワゴン８０上の保管位置から電極軸３４等近傍へ移動させたり、電極軸３４等から取り外した電極アタッチメント３６等（円盤電極３７等）を保管位置へ移動させたりすることができる。よって、円盤電極３７等の交換作業を容易に行うことができる高周波温熱治療装置１を提供することができるという効果を奏する。
【００６０】
また、本発明の移動機構は、載置板７１を高さ方向及び水平方向に移動可能なアーム機構７２である。
【００６１】
この構成によれば、アーム機構７２により載置板７１を高さ方向及び水平方向に移動させて、電極アタッチメント３６等（円盤電極３７等）の交換作業を容易に行うことができるという効果を奏する。
【００６２】
また、高周波温熱治療装置１は、患者１００を乗せる寝台１０と、寝台１０を出し入れ可能な開口部３１ａを有し且つ電極軸３４等が設けられるガントリ３０と、を備え、アーム機構７２は、ガントリ３０に固定されている。
【００６３】
この構成によれば、アーム機構７２がガントリ３０に固定されているので、必要な時にいつでも電極アタッチメント３６等（円盤電極３７等）の交換を行うことができるという効果を奏する。
【００６４】
尚、本発明は、上述した実施の形態に限定されるものではなく、本発明の主旨を逸脱しない範囲で種々に変更を施すことが可能である。以下の説明において、上記実施形態と同一構成には同一符号を付し、それらについての詳細な説明を省略する。
【００６５】
例えば、上記実施形態では、高周波温熱治療装置１のガントリ３０に電極交換補助具７０を設けた例を示したが、これには限られない。電極交換補助具を高周波温熱治療装置１とは別体で設ける構成としてもよい。
【００６６】
図５は、第１変形例における高周波温熱治療装置１及び電極交換補助具１７０を示す図である。本変形例において、電極交換補助具１７０は、載置板１７１と、アーム機構１７２と、ワゴン１８０とを有して構成される。載置板１７１は、上記実施形態の載置板７１と同様に電極アタッチメント３６等を載置するための板状部材である。
【００６７】
アーム機構１７２は、上記実施形態のアーム機構７２と同様の構成を有するものである。アーム機構１７２は、上記実施形態における取付け部７２ａと、第１関節部７２ｂと、第１アーム７２ｃと、第２関節部７２ｄと、第２アーム７２ｅと、第３関節部７２ｆとにそれぞれ対応する部材として、取付け部１７２ａと、第１関節部１７２ｂと、第１アーム１７２ｃと、第２関節部１７２ｄと、第２アーム１７２ｅと、第３関節部１７２ｆとを備えて構成される。但し、取付け部１７２ａは、上記実施形態の取付け部７２ａとは異なり、ワゴン１８０に固定されている。
【００６８】
ワゴン１８０は、箱状の本体１８１の下面にキャスタを取り付けて移動可能に構成されると共に、本体１８１に対してスライド可能な複数段（図５では３段）の引き出し１８２を備えている。引き出し１８２は、交換用の電極アタッチメント３６等を格納することが可能な格納部を構成するものである。操作者は、引き出し１８２のいずれかを引き出して、電極アタッチメント３６等を手に取って載置部１７１上面に載置し、以下、上記実施形態と同様の方法により電極交換作業を行う。
【００６９】
すなわち、本変形例の電極交換補助具１７０は、対向配置される一対の電極軸３４，３５と、一対の電極軸３４，３５に着脱可能に装着されて患部１０１を挟んで対向する一対の円盤電極３７，４７とを備え、一対の円盤電極３７，４７間に高周波電力を印加し、誘電加熱によって患部を温熱治療する高周波温熱治療装置１において円盤電極３７等の交換時に用いられるものであって、円盤電極３７等を電極軸３４から取り外した状態で支持する支持部としての載置板１７１と、載置板１７１を移動させる移動機構としてのアーム機構１７２と、を備えている。
【００７０】
この構成によれば、上述した実施形態と同様に電極アタッチメント３６等（円盤電極３７等）の交換作業を容易に行うことができる電極交換用補助具１７０を提供することができるという効果を奏する。
【００７１】
また、アーム機構１７２により載置板１７１を高さ方向及び水平方向に移動させて、電極アタッチメント３６等すなわち電極アタッチメント３６等（円盤電極３７等）の交換作業を容易に行うことができるという効果を奏する。
【００７２】
また、電極交換補助具１７０は、交換用の電極アタッチメント３６等（円盤電極３７等）を格納する格納部としての引き出し１８２を備えている。
【００７３】
この構成によれば、引き出し１８２に格納した交換用の電極アタッチメント３６を、載置板１７１に支持させてアーム機構１７２によって移動させることにより、電極アタッチメント３６等の交換作業を容易に行うことができるという効果を奏する。
【００７４】
また、上記実施形態では、電極軸３４等から取り外した状態の電極アタッチメント３６等（円盤電極３７等）を載置板７１に載置して支持する構成としたが、これには限られない。電極アタッチメント３６等を挟んで把持することにより支持する構成としてもよい。
【００７５】
また、上記実施形態では、移動機構としてのアーム機構７２を、高さ方向及び水平方向の両方に移動可能としたが、高さ方向及び水平方向の少なくとも一方に移動可能な構成としてもよい。
【００７６】
上記実施形態では、電極交換補助具７０を手動で動作する例を示したが、電動等による遠隔操作ないしロボット動作による電極交換補助具も本発明の範疇内である。例えば、本発明の第２変形例では、図６に示すように、アーム機構７２を電動で駆動するためのモータ等を含む駆動部としてのアーム駆動部７５を備えている。アーム駆動部７５は、コンソール６０からの指令入力又はリモコン６１からの無線信号の入力により駆動制御され、アーム機構７２を水平に旋回させたり、上下に昇降させたりする。尚、上記第１変形例においても同様にアーム機構１７２を駆動するアーム駆動部７５を設ける構成としてもよい。
【符号の説明】
【００７７】
１    高周波温熱治療装置
１０    寝台
３０    ガントリ
３１ａ  開口
３４    電極軸
３５    電極軸
３７    円盤電極
４７    円盤電極
７０    電極交換用補助具
７１    載置板（支持部）
７２    アーム機構（移動機構）
７５    アーム駆動部（駆動部）
１０１    患部
１７０    電極交換用補助具
１７１    載置板（支持部）
１７２    アーム機構（移動機構）
１８２    引き出し（格納部）
【図１】
2018130460.tif 000003
【図２】
2018130460.tif 000004
【図３】
2018130460.tif 000005
【図４】
2018130460.tif 000006
【図５】
2018130460.tif 000007
【図６】
2018130460.tif 000008